【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  自動車の実質的に円環状のハンドル（８）上に取り付けられるのに適した支持トレイを含むデバイスであって、該デバイスは、
（ａ）前面（１Ａ）及び後面（１Ｂ）を備える剛性パネル（１）であって、前記パネル（１）が、２つの平行に横断する第１折り畳み線（２）及び第２折り畳み線（３）によって、２つの折り畳み線（２，３）の間に延在する第１の中央部分（５）と、前記第１折り畳み線（２）に沿って前記第１部分（５）に連結された第２部分（４）と、前記第２折り畳み線（３）に沿って前記第１部分（５）に連結された第３部分（６）という３つの部分に分割され、第２部分（４）が実質的に長方形の開口（７）を有し、ハンドル（８）の一部分が前記開口（７）を通り抜けるように前記開口（７）がハンドル（８）に沿って滑動するのに適し、それによって実質的に長方形の開口（７）の短い側縁がハンドル（８）にもたれるのに適し、それによって第１部分（５）の後面（１Ｂ）がハンドル（８）に部分的に接触するのに適した剛性パネル（１）と、  （ｂ）前記第３部分（６）を大略水平に支持するために第３部分（６）と第１部分（５）とを連結する少なくとも１つの手段（９）と、
を備えることを特徴とするデバイス。
【請求項２】  前記第２部分（４）の開口（７）が第１折り畳み線（２）から離れており、それによって、前記ハンドルに沿って開口（７）を滑動させることにより第２部分（４）がハンドル（８）上に取り付けられたあと、第１部分（５）の後面（１Ｂ）は第２折り畳み線（３）の近傍においてのみハンドル（８）に接触するのに適しており、第１折り畳み線（２）に隣接する第１部分（５）の前記後面（１Ｂ）の部分がハンドル（８）から離れているのに適していることを特徴とする、請求項１記載のデバイス。
【請求項３】  前記第２部分（４）の開口（７）は、第１折り畳み線（２）に隣接するより大きな側縁（７Ａ）を有しているが、前記の第１折り畳み線（２）から少なくとも０.５cm離れて位置し、それによって、前記ハンドル（８）に沿って開口（７）を滑動させることにより第２部分（４）がハンドル（８）上に取り付けられたあと、第１部分（５）の後面（１Ｂ）が第２折り畳み線（３）の近傍においてのみハンドル（８）に接触するのに適し、第１折り畳み線（２）に隣接する第１部分（５）の前記後面（１Ｂ）の部分が前記ハンドル（８）から少なくとも０.５cm離れているのに適していることを特徴とする、請求項１記載のデバイス。
【請求項４】  第３部分（６）を大略水平に支持するために第１部分（５）及び第３部分（６）を連結する手段（９）が、第１部分（５）及び第３部分（６）の間の連結長さを調節するための手段を備える連結具からなることを特徴とする、請求項１記載のデバイス。
【請求項５】  第３部分（６）を大略水平に支持するために第１部分（５）及び第３部分（６）を連結する手段（９）は、止め具（９１）を備える連結具からなり、各連結具の止め具（９１）は、第１部分（５）及び第３部分（６）の間の連結長さを調節するために第３部分（６）の開口（２２，２３）と協働することを特徴とする、請求項１記載のデバイス。
【請求項６】  前記第１部分（５）は、第１側縁（５Ａ）と第２側縁（５Ｂ）との間に延在するとともに、前記第１側縁（５Ａ）から延在する第１スロット（２０）と第２側縁（５Ｂ）から延在する第２スロット（２１）とを有し、
第３部分（６）を大略水平に支持するために第３部分（６）と第１部分（５）とを連結する手段（９）が、止め具（９１）を備える第１コードと止め具（９１）を備える第２コードとからなり、各コードが第３部分（６）に取り付けられており、コードの１つの止め具（９１）が第１部分（５）の後面（１Ｂ）に対して接するように第１コードが第１スロット（２０）に挿入されているとともに、コードの１つの止め具（９１）が第１部分（５）の後面（１Ｂ）に対して接するように第２コードが第２スロット（２１）に挿入されていることを特徴とする、請求項１記載のデバイス。
【請求項７】  前記第３部分（６）は第１側縁（６Ａ）と第２側縁（６Ｂ）との間に延在し、該第１側縁（６Ａ）から延在する第１スロット（２０）と第２側縁（６Ｂ）から延在する第２スロット（２３）とを有し、  第３部分（６）を大略水平に支持するために第３部分（６）と第１部分（５）とを連結する手段（９）が、止め具（９１）を備える第１コードと止め具（９１）を備える第２コードとからなり、各コードが第１部分（５）に取付けられて、コードの１つの止め具（９１）が第３部分（６）の後面（１Ｂ）に対して接するように第１コードが第１スロット（２２）に挿入されているとともに、コードの１つの止め具（９１）が第３部分（６）の後面（１Ｂ）に対して接するように第２コードが第２スロット（２３）に挿入されていることを特徴とする、請求項１記載のデバイス。
【請求項８】  前記第１部分（５）は、第１側縁（５Ａ）と第２側縁（５Ｂ）との間に延在し、該第１側縁（５Ａ）から延在する第１スロット（２０）と第２側縁（５Ｂ）から延在する第２スロット（２１）とを有し、
第３部分（６）は、第１側縁（６Ａ）と第２側縁（６Ｂ）との間に延在し、該第１側縁（６Ａ）から延在する第１スロット（２２）と第２側縁（６Ｂ）から延在する第２スロット（２３）とを有し、
第３部分（６）を大略水平に支持するために第３部分（６）と第１部分（５）とを連結する手段（９）は、止め具（９１）を備える第１コードと止め具（９１）を備える第２コードとからなり、
コードの一方の止め具（９１）が第１部分（５）の後面（１Ｂ）に対して接するとともにコードの他方の止め具（９１）が第３部分（６）の後面（１Ｂ）に対して接するように、第１コードは、第１部分（５）の第１スロット（２０）と第３部分（６）の第１スロット（２２）とに挿入され、
コードの一方の止め具（９１）が第１部分（５）の後面（１Ｂ）に対して接するとともにコードの他方の止め具（９１）が第３部分（６）の後面（１Ｂ）に対して接するように、第２コードは、第１部分（５）の第２スロット（２１）と第３部分（６）の第２スロット（２３）とに挿入されていることを特徴とする、請求項１記載のデバイス。
【請求項９】  前記折り畳み線（２，３）はパネル（１）の２つの対向する側縁の間に延在する手段（９）によって形成され、前記手段は、溝、部分的な切断、パネル（１）の厚さに部分的に延在する切断、穴の列及びそれらの組合せからなるグループから選ばれることを特徴とする、請求項１記載のデバイス。
【請求項１０】  前記第１折り畳み線（２）及び第２折り畳み線（３）は、それぞれ、パネルの２つの側縁間に延在する第１溝（２）とパネル（１）の２つの側縁間に延在する第２溝（３）とによって形成され、前記第１溝（２）がパネル（１）の前面（１Ａ）に位置するとともに、前記第２溝（３）がパネル（１）の後面（１Ｂ）に位置することを特徴とする、請求項１記載のデバイス。
【請求項１１】  前記スロット（２０，２１）は、折り畳み線（２，３）と平行でなく、パネル（１）の１つの側縁に沿って位置する第１端（Ｙ）と第２端（Ｚ）との間に延在し、第２折り畳み線（３）から前記第２端（Ｚ）を分離する距離（Ｅ）は、第２折り畳み線（３）から第１端（Ｙ）を分離する距離（Ｆ）より短いことを特徴とする、請求項６記載のデバイス。
【請求項１２】  前記スロット（２２，２３）は、折り畳み線（２，３）と平行でなく、パネル（１）の１つの側縁に沿って位置した第１端（Ｙ）と第２端（Ｚ）との間に延在し、第２折り畳み線（３）から前記第２端（Ｚ）を分離する距離（Ｅ）は、第２折り畳み線（３）から第１端（Ｙ）を分離する距離（Ｆ）より短いことを特徴とする、請求項７記載のデバイス。
【請求項１３】  前記スロット（２０，２１，２２，２３）は、折り畳み線（２，３）と平行でなく、パネル（１）の１つの側縁に沿って位置する第１端（Ｙ）と第２端（Ｚ）との間に延在し、第２折り畳み線（３）から前記第２端（Ｚ）を分離する距離（Ｅ）は、第２折り畳み線（３）から第１端（Ｙ）を分離する距離（Ｆ）より短いことを特徴とする、請求項８記載のデバイス。